(57)【特許請求の範囲】
【請求項１】
制御基板が収納されるケース体と該ケース体に被着されるカバー体とからなる制御基板収納ボックスにおいて、
前記ケース体とカバー体は挿入ピン部材と球体により開放不能に封止されるように構成され、
前記挿入ピン部材はピン本体部と該ピン本体部の一端に形成された頭部とからなると共に、該ピン本体部の周囲には該ピン本体部の先端を除いて屈曲開閉部材が設けられ、
前記ケース体とカバー体のいずれか一方には挿入ピン差込口と挿入ピン抜出口と第一空洞とが形成された挿入ピン差込部が設けられる一方、他方には挿入ピン固定口と挿入ピン受口と第二空洞とが形成された挿入ピン固定部が設けられ、
前記挿入ピン差込口は前記球体の径よりも小さく前記頭部の径と同径に形成され、前記挿入ピン抜出口および挿入ピン固定口は前記頭部の径より小さく前記屈曲開閉部材の径と同径に形成され、前記挿入ピン受口は前記屈曲部材の径より小さく挿入ピン本体部の径と同径に形成され、
前記第一空洞は前記挿入ピン差込口と挿入ピン抜出口との間に前記頭部と球体が丁度収納される大きさに形成される一方、前記第二空洞は前記挿入ピン固定口と挿入ピン受口との間に前記屈曲開閉部材が屈曲開閉できる大きさに形成され、
前記挿入ピン差込口から前記挿入ピン受口先端までの長さは前記挿入ピン部材と球体の長さを加えた長さに等しくなるように形成され、
前記ピン本体部の先端を前記挿入ピン差込口から前記挿入ピン受口に向けて挿入し、次いで前記球体を前記挿入ピン差込口から圧入した際に、前記球体が前記第一空洞内に収納されて前記頭部が固定される一方、前記ピン本体部の先端は前記挿入ピン受口に挿入されて、前記屈曲開閉部材は前記挿入ピン受口の上端で係止されてその反動により前記第二空洞内で屈曲して前記第二空洞内の側壁面に当接されることで前記ピン本体部が固定され、前記ケース体とカバー体が封止されることを特徴とするパチンコ遊技機における制御基板収納ボックス。
【発明の詳細な説明】
【０００１】
【発明の属する技術分野】
本発明は、パチンコ遊技機における制御基板収納ボックスに関し、さらに詳しくは、パチンコ遊技機本体の裏面や遊技盤裏面に設けられる制御基板が収納される制御基板収納ボックスに関するものである。
【０００２】
【従来の技術】
近年、この種のパチンコ遊技機における制御基板収納ボックスにおいては、パチンコ遊技機の遊技盤面で発生したセーフ球を検出して特別図柄表示装置を駆動制御し、特別図柄の表示態様を設定切り替え制御し、入賞の種別に対応して所定個数の賞球の払出し等を行う主基板等が機構板に取付けられている。この主基板にはカバー部材が被着され、封印証により無断開封が禁止されている。この封印証としては、レーザーマーカーにより所定の印を形成するタイプのものも知られている。
【０００３】
あるいはまた、逆ネジを用いてネジ止めするタイプのものも知られている。この逆ネジタイプのものは、カバー部材を不正に開けようとして逆ネジを回すと、逆ネジの先端部、すなわち外部に出ているネジの部分が取れるようになっており、カバー部材を開けることができないようになっている。
【０００４】
【発明が解決しようとする課題】
しかしながら、このような従来のパチンコ遊技機における制御基板収納ボックスのように封印証による無断開封の禁止では、痕跡を残さないで簡単に封印証を取り外すことができるため、制御回路基板収納ケースを開けて、裏ＲＯＭを取り付ける等して人為的な操作を施すことにより、大量の賞球を遊技者に払出させたり、逆に、賞球を遊技者に払出させないようにするために、フィーバー状態が殆ど起こらないようにして遊技者に損をさせたりするといったことが実際に可能であった。
【０００５】
したがって、遊技者の不正行為により大量の賞球が払出されれば、パチンコ業者が大きな損害を被ることになる。一方、パチンコ業者側の不正行為により賞球がまったく払出されなくなってしまえば、遊技者は、自分の金銭を浪費するばかりになり、勝つことができなくなる。そのため、長い時間遊技を楽しむことをしなくなったり、遊技場に通う頻度が減ってしまうといった傾向がある。
【０００６】
さらに、パチンコ業者が、ある特定の台だけに大量の賞球が払出されるように封印証を破って操作をし、その台については、内部の者に客を装って遊技させて、一般の遊技者の射幸心を煽る一方で、別の台については殆ど賞球が払出されないように封印証を破ってケースを開けて操作をすれば、遊技者にいつかは勝てるという望みを抱かせつつ、実際には、全く勝てる見込みのない台へ遊技者を頻繁に通わせて損をさせることもできる。このように不正使用がなされると、遊技産業の健全な経済活動が阻害されることになる。
【０００７】
また、上述した逆回転防止用ねじによれば、特殊工具を用いれば、ねじを壊すことなく、ねじを回すことができるようになるため、やはり上述と同様に痕跡を残すことなくケースを開けて不正使用をすることが可能になる。
【０００８】
本発明の解決しようとする課題は、パチンコ遊技機本体の裏面や遊技盤裏面に設けられる制御基板が収納される制御基板収納ボックスを痕跡を残すことなく開けることができないようにして、パチンコ遊技機の不正使用を未然に防止するパチンコ遊技機における制御基板収納ボックスを提供することにある。
【０００９】
【課題を解決するための手段】
この課題を解決するために本発明に係るパチンコ遊技機における制御基板収納ボックスは、制御基板が収納されるケース体と該ケース体に被着されるカバー体とからなる制御基板収納ボックスにおいて、前記ケース体とカバー体は挿入ピン部材と球体により開放不能に封止されるように構成され、前記挿入ピン部材はピン本体部と該ピン本体部の一端に形成された頭部とからなると共に、該ピン本体部の周囲には該ピン本体部の先端を除いて屈曲開閉部材が設けられ、前記ケース体とカバー体のいずれか一方には挿入ピン差込口と挿入ピン抜出口と第一空洞とが形成された挿入ピン差込部が設けられる一方、他方には挿入ピン固定口と挿入ピン受口と第二空洞とが形成された挿入ピン固定部が設けられ、前記挿入ピン差込口は前記球体の径よりも小さく前記頭部の径と同径に形成され、前記挿入ピン抜出口および挿入ピン固定口は前記頭部の径より小さく前記屈曲開閉部材の径と同径に形成され、前記挿入ピン受口は前記屈曲部材の径より小さく挿入ピン本体部の径と同径に形成され、前記第一空洞は前記挿入ピン差込口と挿入ピン抜出口との間に前記頭部と球体が丁度収納される大きさに形成される一方、前記第二空洞は前記挿入ピン固定口と挿入ピン受口との間に前記屈曲開閉部材が屈曲開閉できる大きさに形成され、前記挿入ピン差込口から前記挿入ピン受口先端までの長さは前記挿入ピン部材と球体の長さを加えた長さに等しくなるように形成され、前記ピン本体部の先端を前記挿入ピン差込口から前記挿入ピン受口に向けて挿入し、次いで前記球体を前記挿入ピン差込口から圧入した際に、前記球体が前記第一空洞内に収納されて前記頭部が固定される一方、前記ピン本体部の先端は前記挿入ピン受口に挿入されて、前記屈曲開閉部材は前記挿入ピン受口の上端で係止されてその反動により前記第二空洞内で屈曲して前記第二空洞内の側壁面に当接されることで前記ピン本体部が固定され、前記ケース体とカバー体が封止されることを要旨とするものである。
【００１０】
上記構成を有する本発明に係るパチンコ遊技機における制御基板収納ボックスによれば、制御基板を、ケース体とカバー体とからなる収納ボックス内に収納した後、挿入ピン部材を該収納ボックスのケース体とカバー体のいずれか一方より他方に向けて挿入することにより、この挿入ピン部材がピン係止部材により抜脱不能に係止される。したがって、パチンコ遊技機を不正使用しようとする者が制御基板収納ボックスを開けて制御基板に仕掛けを施そうとしても、ケース体とカバー体とは、封止手段により開放不能にされているため痕跡を残すことなく開けることができず、不正使用が未然に防止されることになる。
【００１１】
また、挿入ピン部材の頭部に球体を添当し、該球体をケース体とカバー体のいずれか一方より他方に向けて打ち込むと、該挿入ピン部材の屈曲開閉部材が他方の係合凹部内に抜脱不能に開傘されるから、カバー体とケース体が確実に封止されることになる。
【００１２】
【発明の実施の形態】
以下、本発明の好適な実施の形態を図面を参照して詳しく説明する。
図１は、本実施例に係るパチンコ遊技機の正面図、図２はその外観斜視図を示したものである。パチンコ遊技機１０は、パチンコ機本体側部を構成する外枠１１と、パチンコ機前面部のベースとなる内枠１２とを備え、その内枠１２の額縁状に形成された開口内周縁には金枠１３が嵌められると共に、その金枠１３には遊技盤１４の前面を覆うガラス扉１５が開閉可能に設けられる。
【００１３】
そしてガラス扉１５の下方位置には、打球発射装置に供給される遊技球を貯留するための受け皿（上受け皿）１６が取り付けられ、更にその下方には、賞品球の排出時に上受け皿１６から溢れた球を貯留するための球受け皿（下受け皿）１７が設けられている。尚、上受け皿１６に設けられる球抜けボタン１８の操作により上受け皿１６内の遊技球が下受け皿１７に向けて抜き落とされる。
【００１４】
下受け皿１７の図中右側位置には、遊技球を遊技盤１４面に向けて弾発発射する発射レバー２０が設けられ、この発射レバー２０には遊技球を一球毎に発射する為の単発スイッチ２１が備えられる。発射レバー２０の回動操作する量に応じて遊技球を遊技盤１４面に向けて弾発発射する程度が調整されるとともに、所定回動位置の検出により発射電源が投入されるようになっている。
【００１５】
前記内枠１２の上辺縁から図中右側辺縁には、合成樹脂製のレンズ体で構成される枠トップ飾り２３が設けられ、この枠トップ飾り２３の内部には、枠飾りランプ２４，２４…や前記ガラス扉１５開閉用の鍵穴２５の周囲を飾る鍵飾りランプ２６が設けられている。
【００１６】
パチンコ遊技機１０の一側には、プリペイドカードによる玉貸機（以下、「プリペイドカードユニット」と称する）３０が設置される。このプリペイドカードユニット３０は、１台の遊技機に１台づつ設置される。このプリペイドカードユニット３０の設置に対応してパチンコ遊技機１０の前記上受け皿１６には、プリペイドカードによる遊技球の貸出し操作を行う為の球貸し操作部３１が設けられ、この球貸し操作部３１には、プリペイドカードによる球貸出しを操作する球貸出しボタン３２、その球貸出しの可能状態を示す球貸出しボタンランプ３３、プリペイドカードを排出させるカード返却ボタン３４、プリペイドカードの残高表示、及びエラー表示を行う度数表示部３５等が備えられている。
【００１７】
プリペイドカードの使用に際しては、プリペイドカードユニット３０に備えられるカード利用可表示ランプ３６の点灯中にカード挿入口３７にプリペイドカードを挿入し、金額設定ボタン３８を操作することにより、貸出し金額（１００円、２００円、３００円、５００円等）を選択することができる。前記上受け皿１６に備えられる球貸し操作部３１の球貸出しボタン３２を操作することにより、予め選択された金額の貸球が貸出されることになる。
【００１８】
前記内枠１２の前面に設けられる遊技盤１４は、遊技板に装着された金属製の内レール４１、打球槌により打球発射位置より弾発発射された遊技球を盤面に向けて誘導する為の外レール４２、打球位置及び発射レールより転動し遊技盤面に至った球の跳ね返り作用により再び打球が発射レールや打球位置に戻ることを防止するファール止４３、打球位置より転動してきた過大な飛送力を有する球を遊技板右上部において衝撃を吸収しつつ停止阻止し遊技板面下に向けて落下させる返しゴム４８等によりその周囲が構成され、その内側に遊技領域が形成される。
【００１９】
図３は、その遊技盤面を拡大して示したものである。遊技盤１４の遊技領域の中央やや上方には特別図柄表示装置５０が設けられ、その中央部に３つの特別図柄表示部（図中左から順に左図柄表示部５０Ａ、中図柄表示部５０Ｂ、右図柄表示部５０Ｃが設けられる。また、特別図柄表示装置５０の直下位置には第１種始動入賞口５１が設けられ、更にその下方位置に第１種特別電動役物５２及び普通電動役物（第１種始動入賞口）５３が設けられる。第１種特別電動役物５２は、通常は閉じている大入賞口５４と、その大入賞口５４が開放されたときに遊技球の入賞が可能な特定領域入賞口５５とを備える。前記第１種始動入賞口５１及び普通電動役物（第１種始動入賞口）５３の賞球の個数は４個まで記憶され、その個数分が特別図柄表示装置５０の左右に設けられる特別図柄用記憶表示ＬＥＤ５６ａ〜５６ｄにより点灯表示されるようになっている。
【００２０】
特別図柄表示装置５０の直上位置には７セグデジタル表示の普通図柄表示装置６０が設けられる。この普通図柄表示装置６０の図柄は、遊技盤１４面の特別図柄表示装置５０の左右両側に遊技球が通過可能なゲート６１ａ、６１ｂが備えられ、遊技球がこのゲート６１ａ、６１ｂを通過すると変動を開始する。このゲート６１ａ，６１ｂを通過する遊技球の個数は４個まで記憶され、その個数分が普通図柄表示装置５０のそばに設けられる普通図柄用記憶表示ＬＥＤ６２ａ〜６２ｄにより点灯表示されるようになっている。
【００２１】
普通図柄表示装置６０のすぐ上には天入賞口６４が設けられており、又、その左右両側には左袖入賞口６５ａ及び右袖入賞口６５ｂが設けられ、更に、前記第１種特別電動役物５２の左右両側には左落し入賞口６６ａ及び右落し入賞口６６ｂが設けられている。更に又、遊技盤１４面には、打球槌により弾発発射された遊技球の落下してくる方向を無作為に変更させたり、打球の流下速度及び方向を変化させる風車６７、６７や障害釘６８、６８…、あるいは遊技の演出効果を高めるためある一定の契機により点灯（点滅）を行うランプ風車６９、６９、サイドランプ７０、７０等が設けられている。そして遊技盤１４の最下部には、何れの入賞口にも入賞しなかった遊技球（アウト球）を回収し、集合処理するアウト口７１が設けられている。
【００２２】
尚、遊技盤１４の遊技領域の外側には、入賞の発生により払い出される賞球数を表示する賞球数表示部７２、賞球の払出し動作時に点灯（点滅）表示駆動される球払出しＬＥＤ７３、タンクやタンクレール上の遊技球が所定量以下になったとき点灯（点滅）し、その旨表示する球切れＬＥＤ７４等が設けられる。
【００２３】
図４は、パチンコ遊技機の裏面図、図５はその外観斜視図である。パチンコ遊技機１０の裏面に設けられる機構板７６面の上方位置に、遊技場の島から供給される遊技球を一時貯留する賞球タンク７７が設けられると共に、その賞球タンク７７に連設されてタンクレール７８が設けられ、このタンクレール７８の賞球流下下端部分に同じく機構板７６面に設けられる賞球払出機構部８０が連設されている。
【００２４】
このタンクレール７８には、前記賞球タンク７７やタンクレール７８上の遊技球の補給状態により作動される補給スイッチ８１が設けられ、又、賞球払出機構部８０の直前において賞球の欠乏を検出し払出し機構の空動作を防止する為の空切り防止スイッチ８２が設けられている。さらに賞球払出機構により払出された賞球がパチンコ遊技機内で充満した場合にこれを検出する満タンスイッチ８３あるいは機内で充満した遊技球により係動され満タンスイッチ８３を押動する満タンストッパ８４等も備えられている。
【００２５】
また機構板７６には遊技盤１４面の各入賞口に入った入賞球（セーブ球）を一球毎に球切りして検出するセーフ球排出機構部８５が設けられ、このセーフ球排出機構部８５により検出されたセーフ球はこの後機外へ排出されるようになっている。パチンコ遊技機１０の遊技板裏面は中央カバー８６により覆われており、各入賞口に入ったセーフ球はこの中央カバー８６が覆設される機構板７６下部に形成されたセーフ球誘導路１１２（図６参照）で集められてセーフ球排出機構部８５へ導出されるようになっている。
【００２６】
そして各種の制御基板がこの機構板７６には取付けられている。例えば、プリペイドカードに係わる情報をパチンコ遊技機１０の外部において処理するプリペイドカードユニット３０と遊技機本体とを電気的に接続するＣＲ外部接続端子基板８７を含む外部接続端子９７、発生したセーフ球の種別に応じて所定個数の賞球を前記賞球払出機構部８０に払出し動作させる回路が装着されたＣＲ賞球払出制御基板８８、該ＣＲ賞球払出制御基板８８とプリペイドカードユニット３０及び球貸し操作基板、度数表示基板（図２の球貸し操作部３１に収容されている）との間に設けられ、プリペイドカードユニット３０に挿入されたプリペイドカードの情報と、パチンコ遊技機１０の前面に設けられた球貸し操作部３１への球貸し要求信号と球貸し状態を表示する度数表示情報と、球貸し情報に基づいてＣＲ賞球払出制御部を司令制御する情報との授受を行うカードインターフェイス基板８９が設けられている。
【００２７】
また前記ＣＲ外部接続端子基板８７、カードインターフェイス基板８９、ＣＲ賞球払出制御基板８８相互間においてカードデータ処理に係わる信号を中継するＣＲ中継基板９０、パチンコ遊技機１０の遊技盤１４面で発生したセーフ球を検出して特別図柄表示装置５０を駆動制御し、その特別図柄の表示態様を設定切り替え制御し、入賞の種別に対応して所定個数の賞球の払出し等を行う主基板９１等がこの機構板７６に取付けられている。そしてこれら独立してそれぞれ組み付けられた各種基板がパチンコ遊技機に組み付けられた後、コネクタ配線により互いに脱着可能に電気接続されている。パチンコ遊技機１０の外部のプリペイドカードユニット３０と遊技機本体との間の情報の入出力は、カードインターフェイス接続部９２を介して行われる。
【００２８】
前記ＣＲ賞球払出制御基板８８は、賞球の不足欠乏、及び供給状態、排出状態の異常を検出し、払出し動作の停止と、表示動作も合わせて行われるもので、ここにはＣＲ賞球払出制御基板８８や賞球払出機構部８０等の賞球払出制御機構において遊技球の不足、球詰まり、回路操作異常、ソフトエラー等の異常が発生した場合にその旨を表示するエラー表示部９３、あるいはエラー状態が解除された場合に前記エラー表示部９３を初期状態に復帰リセットさせるエラー表示リセットボタン９４が設けられている。
【００２９】
また前記主基板９１には、特定図柄表示装置５０に於いて発生する当たりの出現状態（確率）を３個のＬＥＤにて表示する設定表示ＬＥＤ９５、あるいは前記当たりの出現確率を所定条件下のみ切替え可能に設定する為の確率モード設定スイッチ９６が設けられている。
【００３０】
パチンコ遊技機１０で発生した各種情報は機構板７６の上部片隅に設けられる外部接続端子９７を介して遊技機外部の遊技場管理装置へ出力される。特別図柄表示装置５０の図柄若しくは入賞装置の始動回数、所定図柄の確定により発生する大当たりの発生回数、遊技者に特別な利益状態を継続させる継続情報、当該パチンコ遊技機における当たりの出現確率、不正検出信号等の各種情報がこの外部接続端子９２を介して入出力されることになる。
【００３１】
更に機構板７６の裏面下方隅寄り位置には、前記上受け皿１６に供給された遊技球を遊技盤１４面に向けて弾発発射するための打球発射装置１００が備えられている。この打球発射装置１００は、打球発射モータ１０１のほか、発射装置制御回路、打球槌、弾発力調整手段等により構成される。タッチ感度調整ボリューム１０２は、遊技者の打球発射操作ハンドルへの接触を検出して打球発射モータ１０１の電源を投入するタッチスイッチ回路の検出感度を調整する為に設けられ、又、遊技球発射調整ダイヤル１０３は、遊技盤１４面へ向けての遊技球弾発力、飛走距離をパチンコ遊技機の裏面側で調整設定する為に設けられている。
【００３２】
打球発射装置１００に近接して発射装置制御基板１０４が設けられ、これには打球発射モータ１０１の駆動制御回路及びタッチスイッチ回路が含まれている。打球発射モータ１０１の駆動制御回路では、モータの回転速度、トルク、特に１分間に発射する打球間隔、速度等が設定されている。
尚、このパチンコ遊技機１０は電源プラグ１０６を介してＡＣ１００Ｖ電源に接続されている。また前記外部接続端子９７より引き出されたリード線１０７は、コネクタ１０８及び電源プラグ１０９を介してＡＣ２４Ｖ電源に接続されている。
【００３３】
図６は、遊技盤１４の裏面に設けられるセーフ球の流出経路を示したものである。図示されるように、普通電動役物（第１種始動入賞口）５３、天入賞口６４、左袖入賞口６５ａ、左落し入賞口６６ａに入賞したセーフ球は、傾斜板状のセーフ球集合路（セーフ球集合板）１１１上に落下し、その傾斜下端位置に設けられる、同じ傾斜板状のセーフ球誘導路（セーフ球誘導板）１１２を介して前述のセーフ球排出機構部８５へ誘導される。また第１種始動入賞口５１、大入賞口５４、特定入賞口５５、右袖入賞口６５ｂ、右落し入賞口６６ｂに入賞したセーフ球は直接セーフ球誘導路１１２上に落下し、セーフ球排出機構部８５へ誘導される。
【００３４】
前記第１種始動入賞口５１、及び普通電動役物（第１種始動入賞口）５３に入ったセーフ球の流出経路には、それぞれそれらの入賞を感知する第１種始動用検出スイッチ１１３ａ、１１３ｂが設けられる。また前記大入賞口５４に入ったセーフ球の流出経路には、その大入賞口５４内への入賞球数を計数（カウント）するカウント用スイッチ１１４が設けられ、前記特定入賞口５５に入ったセーフ球の流出経路には、その特定入賞口５５にセーフ球が入ったことを感知する特定入賞検出用スイッチ１１５が設けられている。さらに前記ゲート６１ａ、６１ｂを通過する遊技球の通過経路には、遊技球がゲート６１ａ、６１ｂを通過したことを感知するゲート用スイッチ１１６ａ、１１６ｂがそれぞれ設けられている。
【００３５】
そして前記第１種始動用検出スイッチ１１３ａ、１１３ｂからの検出信号により前記第１種始動入賞口５１、５３に遊技球の入賞があったことが検知されると、前述したように特別図柄表示装置５０が駆動される。また第１種特別電動役物５２の作動中に前記カウント用スイッチ１１４からの検出信号により前記大入賞口５４の１回毎の開放状態で１０個のセーフ球の入賞があったことが検知されると、その大入賞口５４は閉じられる。
【００３６】
さらにその大入賞口５４の開放状態の間に前記特定入賞検出用スイッチ１１５からの検出信号により特定入賞口５５に遊技球の入賞があったことが検知されれば、前記第１種特別電動役物５２の作動は繰り返されることになる。またゲート用スイッチ１１６ａ、１１６ｂからの検出信号があれば、前述したように普通図柄表示装置６０が駆動されることになる。遊技盤１４裏面には普通電動役物（第１種始動入賞口５３）を開閉動作させる普通電動役物開放用ソレイノイド１１９や大入賞口６４を開閉動作させる大入賞口開放用ソレノイド１２０も設けられている。
【００３７】
一方、前記天入賞口６４及び左右袖入賞口６５ａ、６５ｂの各入賞口に入ったセーフ球の流路には５個払出用検出スイッチ１１７ａ、１１７ｂが設けられ、これらの検出スイッチ１１７ａ、１１７ｂからの検知信号に基づいて前述の賞球払出機構部８０より所定個数（５個づつ）の賞球が払出される。また前記第１種始動入賞口５１、あるいは普通電動役物５３に設けられる前述の第１種始動用検出スイッチ１１３ａ、１１３ｂからの検出信号によっても同様に賞球払出機構部８０より５個の賞球が払出されるようになっている。
【００３８】
また前記大入賞口５４に設けられるカウント用スイッチ１１４、あるいは特定入賞口５５に設けられる特定入賞検出用スイッチ１１５からの検出信号があれば、賞球払出機構部８０より１５個の賞球が払出される。尚、前記左右落し入賞口６６ａ、６６ｂに入ったセーフ球の流路には入賞検出スイッチは設けられていないが、セーフ球払出機構部８５に設けられるセーフ球検出スイッチによりトータルのセーフ球個数がカウントされるので、その個数差分だけ１０個づつの賞球が払出されることになっている。
【００３９】
図７は、遊技機本体の裏面に設けられる前述の主基板９１が収納される制御基板収納ボックスの取付構造を示したものである。図示されるように、前記遊技板の裏面には、天入賞口６４や左袖入賞口６５ａに入ったセーフ球をセーフ球集合板１１１上に落下集合させるための第１のセーフ球集合樋１８１と、第１種始動入賞口５１や右袖入賞口６５ｂに入ったセーフ球をセーフ球誘導板１１２上に落下集合させるための第２セーフ球集合樋１８２とが設けられ、両セーフ球集合樋１８１、１８２の間に位置して遊技板の中央には、第１種特別電動役物５２の大入賞口５４を遊技機の裏面から覗き視できるように覗き窓１８３が開設されている。
【００４０】
そして遊技盤裏面の前記第１及び第２のセーフ球集合樋１８１、１８２寄り位置に、前記主基板９１を収納した制御基板収納ボックス２００が取り付けられる。この制御基板収納ボックス２００は、透明なプラスチック樹脂、例えばポリカーボネート製の方形箱型形状のカバー部材２０２と同じく透明なプラスチック樹脂製の方形箱型形状のケース部材２０４とから構成されている。左右ブラケット１８４ａ、１８４ｂは、遊技盤の裏面にピン１８５止めされ、この左右両ブラケット１８４ａ、１８４ｂにケース部材２０４をピン１８７止めすることによりこの主基板９１は前記覗き窓１８３への覗き視を妨げないようにある一定の空間を設けて立体的に組付けられている。
【００４１】
しかしてケース部材２０４の左右両側面には長手の挿入ピン固定台取付部２０６が設けられ、またカバー部材２０２には、これに対応して左右両側面に複数個づつの挿入ピン差込部２０８が設けられ、ケース部材２０４に主基板９１を収納した状態でカバー部材２０２を被着し、カバー部材２０２の挿入ピン差込部２０８側からケース部材２０４の挿入ピン固定台２１０側へ挿入ピンを挿入することによりケース部材２０４とカバー部材２０２とを一体的に組み付けしている。
【００４２】
カバー部材２０２及びケース部材２０４の取付構造について図８〜図１１を参照して説明する。まず図８は、制御基板収納ボックス２００を構成するカバー部材２０２とケース部材２０４及びこれらに収納される主基板９１の分解斜視図である。ケース部材２０４の内側一側板面、左右両側寄り位置には、主基板９１を支承するリブ２１２ａ，２１２ｂが形成され、またその一側板の上縁中央位置には、この主基板９１を両リブとで挟持する爪２１４が設けられる。またケース部材２０４の対向する側板側、両端寄り位置には、主基板９１をネジ止めするためのボス２１６ａ，２１６ｂが形成され、これに対応して主基板９１の一側縁両端寄り位置には、ネジ挿通孔２１８ａ，２１８ｂが穿設形成されている。そしてネジ２２０ａ，２２０ｂを夫々ネジ挿通孔２１８ａ，２１８ｂに挿通し、ボス２１６ａ，２１６ｂに螺着することにより主基板９１がケース部材２０４内に収容固定される。
【００４３】
ケース部材２０４の左右両側壁面には長方ボックス形状の挿入ピン固定台取付部２０６が形成されている。この挿入ピン固定台取付部２０６の内側、長手方向両端寄り部位には挿入ピン固定台２１０の両端部をネジ２２２ａ，２２２ｂでネジ止めすることにより固定するためのボス２２４ａ，２２４ｂが形成されている。挿入ピン固定台２１０は、ステンレスバネ材により長手方向の両側縁を屈曲した断面コ字状に形成し、その長手方向両端寄り位置には、前記ボス２２４ａ，２２４ｂに対応してネジ挿通孔２２６ａ，２２６ｂが穿設形成され、更に両ネジ挿通孔２２６ａ，２２６ｂ間に位置して前記挿入ピン差込部２０８ａ〜２０８ｄに対応した位置に頭付挿入ピン２３６の挿通嵌合孔２２８ａ〜２２８ｄが同じく穿設形成されている。各ピン挿通嵌合孔２２８ａ〜２２８ｄは、図１０に示したように、その内周縁に複数からなる放射状の切込み２３０が設けられ、またこの挿入ピン固定台２１０の下面側に稍々凹窪んだ膨出状に形成されている。
【００４４】
一方、前記カバー部材２０２は、ケース部材２０４に被着された時に前記主基板固定用のネジ２２０ａ，２２０ｂを覆い隠すネジカバー片２３２がその一側左右両端寄り位置に夫々設けられると共に、左右の両側壁面に設けられる前述の挿入ピン差込部２０８ａ〜２０８ｄの両側に位置して前記挿入ピン固定台２１０を固定するためのネジ２２２ａ，２２２ｂを覆い隠すネジカバー片２３４ａ，２３４ｂが設けられている。そして前記各挿入ピン差込部２０８ａ〜２０８ｄは、図９にその平面が、図１１にその断面が示されるように、頭付挿入ピン２３６の頭部２３８が挿入可能な大径筒部２４０とこの頭部２３８が係止され、ピン本体部２４２のみが挿通可能な小径筒部２４４とにより構成されている。
【００４５】
カバー部材２０２、ケース部材２０４及び主基板９１の組み付けに際しては、図８及び図１１に示した頭付挿入ピン２３６は、予め挿入ピン差込部２０８ａ〜２０８ｄにスプリング２４６を取り付けた状態で、挿入ピン差込部２０８ａ〜２０８ｄに挿入される。そして、挿入ピン差込部２０８ａ〜２０８ｄから脱落しないようにＥ型止め輪２４８が嵌められる。頭付挿入ピン２３６の頭部２３８とＥ型止め輪２４８は、いずれも小径筒部２４４の上端面で係止され、制御基板収納ボックス２００の組立作業中における頭付挿入ピン２３６の脱落が防止される。
【００４６】
図１２Ａは、その脱落が防止された状態、すなわちスプリング２４６が取り付けられた頭付挿入ピン２３６を挿入ピン差込部２０８ａに挿入してＥ型止め輪２４８を嵌めた状態を示したものである。この図に示したようにスプリング２４６を設けた頭付挿入ピン２３６は、Ｅ形止め輪２４８がその溝部２５０のやや上部に嵌められている。これにより上述したようにスプリング２４６とＥ形止め輪２４８とが小径筒部２４４に係止されるため、頭付挿入ピン２３６は、挿入ピン差込部２０８ａからの脱落が防止される。
【００４７】
図１２Ｂは、頭付挿入ピン２３６の頭部２３８をドライバー等により打ちつけて、ピン本体部２４２の先端部寄り位置に周設形成された溝部２５０が挿通嵌合孔２２８ａに係止された状態を示したものである。この図に示したように溝部２５０は、挿通嵌合孔２２８ａに係止されるものであるが、この溝部２５０の径は挿通嵌合孔２２８ａの径と同一（若干の誤差は許容される）の大きさに形成されている。
【００４８】
すなわち、挿通嵌合孔２２８ａは、頭付挿入ピン２３６が挿入されるときに、そのピン本体部２４２が挿通できる程度の径に開くが、これは、挿通嵌合孔２２８ａの内周縁に複数からなる放射状の切込み２３０が設けられて、各切込み片２３１（図１０参照）の開閉が若干効くからである。またこの挿入ピン固定台２１０を形成するステンレスバネ材の材料特性にもよるものである。また溝部２５０が挿通嵌合孔２２８ａに係止された後は、挿通方向に対して逆方向に抜けることがないが、これは、挿通嵌合孔２２８ａが図１０に示したように挿入ピン固定台２１０の下面側に稍々凹窪んだ膨出状に形成されているからである。
【００４９】
さらにこの頭付挿入ピン２３６は、図１２Ｂに示されるように頭部２３８と小径筒部２４４との間に介挿されたスプリング２４６により、挿通方向に対して逆方向へ付勢されている。この付勢により挿通嵌合孔２２８ａ、挿入ピン差込部２０８ａ及び頭部２３８の各部に適度な力がかかる。これにより、挿入ピン差込部２０８ａと挿入ピン固定台２１０とがぐらつきがない状態で頭付挿入ピン２３６により確実に固定される。挿入ピン差込部２０８ｂ〜２０８ｄ及びこれに対応する挿通嵌合孔２２８ｂ〜２２８ｄについても同様に頭付挿入ピン２３６がドライバー等により打ち付けられて挿入され、溝部２５０が挿通嵌合孔２２８ｂ〜２２８ｄにより係止され、これによりカバー部材２０２がケース部材２０４に確実に取り付けられることになる。
【００５０】
しかしてケース部材２０４の左右両側面には長手の挿入ピン固定台取付部２０６が設けられ、またカバー部材２０２には、これに対応して左右両側面に複数個づつの挿入ピン差込部２０８ａ〜２０８ｄが設けられ、ケース部材２０４に主基板９１を収納した状態でカバー部材２０２を被着し、カバー部材２０２の挿入ピン差込部２０８ａ〜２０８ｄ側からケース部材２０４の挿入ピン固定台２１０側へ頭付挿入ピン２３６を挿通することによりケース部材２０４とカバー部材２０２とを一体的に組み付けしている。
【００５１】
以上説明したカバー部材２０２、ケース部材２０４及び主基板９１の組立取付は、頭付挿入ピン２３６を用いて次のようにしてなされる。まず図８に示したリブ２１２ａ，２１２ｂと爪２１４の間に主基板９１を挟持させ、ネジ２２０ａ，２２０ｂを夫々ネジ挿通孔２１８ａ，２１８ｂに挿通し、ボス２１６ａ，２１６ｂに螺着することにより主基板９１をケース部材２０４内に収容固定させる。このときにネジ２２０ａ，２２０ｂは、ボス２１６ａ，２１６ｂを貫通するため、その貫通した部分を遊技盤の裏面の左右ブラケット１８４ａ，１８４ｂに螺着させ、ケース部材２０４を遊技盤の裏面に取り付ける。
【００５２】
次いで、ネジ２２２ａ，２２２ｂを夫々ネジ挿通孔２２６ａ，２２６ｂに挿通し、ボス２２４ａ，２２４ｂに螺着することにより挿入ピン固定台２１０を挿入ピン固定台取付部２０６に取付固定させる。このときにネジ２２２ａ，２２２ｂは、ボス２２４ａ，２２４ｂを貫通するため、その貫通した部分を遊技盤の裏面の左右ブラケット１８４ａ，１８４ｂに螺着させ、ケース部材２０４の遊技盤裏面への取付をさらに確実なものとする。
【００５３】
次ぎに、カバー部材２０２のケース部材２０４への被着であるが、これに先だって予め、頭付挿入ピン２３６にスプリング２４６を挿通しておき、その状態で、頭付挿入ピン２３６を挿入ピン差込部２０８ａ〜２０８ｄに挿通させる。そして溝部２５０のやや頭部側寄り位置にＥ型止め輪２４８を被嵌させておく。これにより、組み付け作業中における頭付挿入ピン２３６の挿入ピン差込部２０８ａからの脱落が防止される。
【００５４】
そしてカバー部材２０２を主基板９１の上側から覆って挿入ピン差込部２０８ａ〜２０８ｄを夫々挿通嵌合孔２２８ａ〜２２８ｄに合わせ、頭付挿入ピン２３６の頭部２３８をドライバーで打ち付けて溝部２５０に挿通嵌合孔２２８ａ〜２２８ｄを夫々係止させる。
【００５５】
そうすると、ネジ２２０ａ，２２０ｂがネジカバー片２３２によって覆われる他、ネジ２２２ａ，２２２ｂがネジカバー片２３４ａ，２３４ｂによって覆われることになり、ネジ止め部分が外部から覆い隠されることになる。したがって、不正行為を目的として主基板９１を取り出そうとしても、これらのネジカバー片２３２あるいはネジカバー片２３４をニッパ等を用いて切り離さなければ、不正行為を為すことができない。また、不正行為が為された場合にあっても、ニッパ等を用いて各部材に傷を付けて開けた痕跡が残るため、直ちにその行為に対処すること、例えばそのようなパチンコ遊技機の使用を中止する等の対処が可能になる。
【００５６】
次に本発明の第二の実施例について図１３Ａ〜図１３Ｄを参照して説明する。上記第一の実施例では、頭付挿入ピンに溝部を形成して係止部分を構成し、スプリングの付勢力によりカバー部材とケース部材とが確実に固定されるようにしたものであるが、この第二の実施例は、頭付挿入ピンに溝部を形成せずに、屈曲開閉片を設けるようにしたものである。
【００５７】
図１３Ａは、この第二の実施例に係る頭付挿入ピンの外観斜視図を示したものである。図示されるように、頭付挿入ピン２５２のピン本体部２５４には、その本体に沿って細長い四本の屈曲開閉片２５６を備えた屈曲開閉部材２５８が被嵌されている。この屈曲開閉片２５６には、谷型屈曲部２６０及び山型屈曲部２６２が形成されている。屈曲開閉部材２５８の長手方向の長さは、ピン本体部２５４の長さに較べて稍々短めに形成されるとともに、その径は、後述する挿入ピン受口（図１３Ｃ参照）の径よりも大きめに形成されている。また頭部２６４の径は、後述する挿入ピン抜出口及び挿入ピン固定口の径（図１３Ｃ参照）よりも大きめに形成されている。
【００５８】
図１３Ｂは、この頭付挿入ピン２５２が用いられるカバー部材２６６とケース部材２６８の外観を概略的に示したものである。この図に示したように、頭付挿入ピン２５２が挿入される挿入ピン差込部２７０は、カバー部材２６６の左右の両側壁面に稍々間隔を空けてそれぞれ二箇所に設けられると共に、挿入された頭付挿入ピン２５２を固定する挿入ピン固定部２７２は、挿入ピン差込部２７０に対応してケース部材２６８の左右の両側壁面に設けられる。挿入ピン差込部２７０は、挿入ピン固定部２７２に較べて若干小さめに形成されている。
【００５９】
図１３Ｃは、頭付挿入ピン２５２を挿入ピン差込部２７０から挿入ピン固定部２７２に向けて挿入した状態を示したものである。この図に示したように挿入ピン差込部２７０は、その挿入ピン差込口２７４の径が頭部２６４の径と同じ大きさで形成され、その挿入ピン抜出口２７６の径が屈曲開閉部材２５８の径と同じ大きさで形成され、その内部は空洞状に形成されている。そして頭付挿入ピン２５２を屈曲開閉部材２５８により係止させる際には、ボール２７８が挿入ピン差込口２７４の上に載置される。このボール２７８の径は挿入ピン差込口２７４の径より大きいものが使用される。また挿入ピン差込部２７０の空洞は、頭部２６４とボール２７８とが丁度収納される大きさに形成されている。
【００６０】
一方、挿入ピン固定部２７２は、その挿入ピン固定口２８０の径が屈曲開閉部材２５８の径、すなわち上述した挿入ピン抜出口２７６の径と同じ大きさで形成され、その挿入ピン受口２８２の径がピン本体部２５４の径と略同一の大きさで形成されている。したがって、挿入ピン固定口２８０の径は、挿入ピン受口２８２の径よりも屈曲開閉部材２５８が被着される分だけ若干大きめに形成される。そして挿入ピン固定部２７２の内部は空洞状に形成され、この空洞内で屈曲開閉片２５６が屈曲する。
【００６１】
図１３Ｄは、ボール２７８を挿入ピン差込口２７４から挿入ピン差込部２７０の空洞に圧入した状態を示したものである。カバー部材及びケース部材は、プラスチック樹脂等により形成されるため、挿入ピン差込口２７４がボール２７８の径より小さくても、このボール２７８を適当な力で付勢することで、挿入ピン差込口２７４は、通り抜けるボール２７８の径に応じて開閉する。このようにして挿入ピン差込部２７０の内部へボール２７８が圧入されると、その付勢力が頭付挿入ピン２５２に伝達され、該頭付挿入ピン２５２は、その勢いで挿入方向へさらに挿入される。
【００６２】
このときに屈曲開閉片２５６の先端が挿入ピン受口２８２の上端で係止されるため、その反動で屈曲開閉片２５６の谷型屈曲部２６０が谷型に屈曲するとともに、山型屈曲部２６２が山型に屈曲し、これにより屈曲開閉部材２５８が空洞内で開くことになる。そして、山型屈曲部２６２が挿入ピン固定部２７２内の壁面に当接した状態となる。これにより、頭付挿入ピン２５２は、屈曲開閉部材２５８の先端で確実に固定される。特に、横方向（挿入方向に対して垂直な方向）へのぐらつきが回避されている。
【００６３】
また縦方向（挿入方向）については、挿入ピン差込口２７４から挿入ピン受口２８２の先端までの長さがボール２７８と頭付挿入ピン２５２との長さを加えた長さに丁度等しく、かつ、ボール２７８の径が挿入ピン差込口２７４の径よりも大きいことから、隙間無い状態でボール２７８と頭付挿入ピン２５２とが取り付けられている。したがって、縦方向にも頭付挿入ピン２５２がぐらつくことは、回避されている。
【００６４】
以上説明したカバー部材２６６、ケース部材２６８及び主基板９１の組立取付は、頭付挿入ピン２５２を用いて次のようにしてなされる。まず主基板９１をケース部材２６８に収容固定させる。次いで、カバー部材２６６をケース部材２６８に被着して、挿入ピン差込部２７０と挿入ピン固定部２７２とを夫々位置合わせし、頭付挿入ピン２５２を夫々挿入ピン差込部２７０から挿入ピン固定部２７２に向かって挿入する。次いで、夫々の挿入ピン差込口２７４にボール２７８を載置してから、挿入ピン差込部２７０の内部へこのボール２７８を圧入する。これにより、主基板９１がカバー部材２６６とケース部材２６８とに収納固定されることになる。
【００６５】
したがって、不正行為を目的として主基板９１を取り出そうとしても、頭付挿入ピン２５２は、ボール２７８に遮られて外部から見えないため、挿入ピン差込口２７４を切断する等しなければ、不正行為を為すことができない。仮に、不正行為が為されても、各部材に傷を付けて開けた痕跡が残るため、不正行為に係るパチンコ遊技機の使用を中止する等の対処が可能になる。
【００６６】
次に本発明の第三の実施例について図１４Ａ〜図１４Ｃを参照して説明する。この第三の実施例は、複数の爪が形成された金属板を固定カップとして用いたものである。これらの図において、図１４Ａは、頭付挿入ピン２８４の取付部分の分解斜視図、図１４Ｂは、固定カップ２８６に頭付挿入ピン２８４を係止する前の取付部分の断面構造を示したもの、図１４Ｃは、固定カップ２８６に頭付挿入ピン２８４を係止した後の取付部分の断面構造を示したものである。
【００６７】
これらの図に示したように、挿入ピン固定部２８８には金属板を用いてかしめ成形された固定カップ２８６が挿入されている。この固定カップ２８６の内外周面には、多くの爪片２９０が形成され、その底板部２９２には頭付挿入ピン２８４が挿通され、その溝部２９４を係止する挿通嵌合孔２９６が形成されている。挿入ピン固定部２８８は、プラスチック製樹脂等により形成されているため、固定カップ２８６が挿入されると、図１４Ｂあるいは図１４Ｃに示したように、この金属製の爪片２９０が挿入ピン固定部２８８の内周面に食い込む等する。これにより固定カップ２８６が係止されている。
【００６８】
頭付挿入ピン２８４は、予め挿入ピン差込部２９８に挿通されその先端部寄り位置であって溝部２９４の稍々上方の部位にＥ型止め輪３００が嵌められる。そして挿入ピン差込部２９８と挿入ピン固定部２８８とが位置合わせされた後、頭付挿入ピン２８４が挿入される（図１４参照）。その状態でドライバー等により頭付挿入ピン２８４の頭部３０１が打ち付けられると、頭付挿入ピン２８４がその先端から挿通嵌合孔２９６へ挿通し、溝部２９４がその挿通嵌合孔２９６により係止される。
【００６９】
この第三の実施例によれば、不正行為を目的として主基板９１を取り出そうとしても、頭付挿入ピン２８４は、固定カップ２８６によりかしめ固定されることになる。したがって、不正行為を目的として主基板９１を取り出そうとしても固定カップ２８６を変形させる、或は取り壊す等しなければ、不正行為を為すことができない。したがって、上述した実施例と同様にやはり、不正行為が為されても、各部材に傷を付けて開けた痕跡が残るため、不正行為に係るパチンコ遊技機の使用を中止する等の対処が可能になる。
【００７０】
次に本発明の第四の実施例について図１５Ａ及び図１５Ｂを参照して説明する。この第四の実施例は、上記した第一の実施例に取り付けられるＥ形止め輪に代えて予めピン本体部にローレット状リングを形成したものである。これらの図において、図１５Ａは、この頭付挿入ピン３０２を挿入ピン固定台３０４へ挿入する前の状態を拡大して示したものである。同図に示したローレット状リング３０６が形成された頭付挿入ピン３０２は、その頭部３０８に適当な圧力、例えばドライバー等でたたき込むことによって小径筒部３１０に挿入されている。
【００７１】
このように頭付挿入ピン３０２が一旦小径筒部３１０に挿入されると、ローレット状リング３０６が形成された部分が小径筒部３１０の端部で係止され頭付挿入ピン３０２の挿入ピン差込部３１２からの抜けが防止される。具体的には、この頭付挿入ピン３０２は、次ぎのように構成される。すなわち、ピン本体部３１４の径をφ３±０〜０．０５ｍｍとした場合には、挿入ピン差込部３１２の小径筒部３１０の径がφ３±０．０５〜０ｍｍ、ローレット状リング３０６の径がφ３．２±０．０５〜０ｍｍとされ、ローレット状リング３０６の長手方向の長さは、約２ｍｍとされる。図１５Ｂは、頭付挿入ピン３０２を挿入ピン固定台３０４へ挿入した後のピン止め部分を拡大して示したものであり、工場出荷時の状態を示している。図示されるように、溝部３１６が挿通嵌合孔３１８に係止されている。
【００７２】
第四の実施例に係るカバー部材３２４、ケース部材３２６及び主基板９１の組立取付は、頭付挿入ピン３０２を用いて次のようにしてなされる。すなわち、ローレット状リング３０６が設けられた頭付挿入ピン３０２にスプリング３２０を取り付けてドライバー等で頭部３０８を打ち付ける。そしてこのローレット状リング３０６が小径筒部３１０を貫通させる。
【００７３】
一方、挿入ピン固定台３０４は、挿入ピン固定部３２２に予め取り付けておく。そして上述した頭付挿入ピン３０２の先端と、挿通嵌合孔３１８とを位置合わせして、そのままドライバー等で頭部３０８を打ちつける。これにより溝部３１６が挿通嵌合孔３１８に係止されることになる。
【００７４】
以上説明した第四の実施例によれば、Ｅ型止め輪を取り付ける手間が除かれるほか、頭部３０８を打ち付ける作業によりローレット状リング３０６が小径筒部３１０に貫通させることができるとともに、そのまま作業を続けることにより溝部３１６が挿通嵌合孔３１８に係止されることになる。したがって作業工程が簡略化され、生産性が向上することになる。
【００７５】
以上各種の実施例について説明したが、上記した第一〜第四の実施例によれば、いずれも制御基板に対して不正行為を施すには、カバー部材あるいはケース部材の一部に損傷をつけなければならない。したがって、予め不正行為が防止されることになる。また万が一、制御基板収納ボックスを開封する等の不正行為が行われてもその損傷により不正行為がなされたことがすぐに発覚することになる。そのため、不正防止策の一つとして有効に機能することになる。
【００７６】
尚、本発明は上記した実施の形態に何ら限定されるものではなく、本発明の趣旨を逸脱しない範囲で種々の改変が可能である。例えば、上記実施例においては、抜け防止のための部材としてＥ形止め輪やローレット部材を用いたがこれに限定されるものではない。また、上述した実施例１及び実施例３においては、いずれもＥ型止め輪を用いたがこれに代えてローレット部材を用いてもよいものである。
【００７７】
【発明の効果】
以上説明したように本発明のパチンコ遊技機における制御基板収納ボックスによれば、挿入ピン部材が前記ケース体とカバー体のいずれか一方より他方に向けて挿入されると、挿入ピン部材は、ピン係止部材により係止される。これにより、前記カバー体と前記ケース体は、封止手段すなわち前記挿入ピン部材とピン係止部材とにより封止されることになる。したがって、制御基板収納ボックスを開けて制御基板に不正を施そうとするには、痕跡を残すことなくカバー体を壊さなければならない。すなわち、カバー体が壊されない限りパチンコ遊技機の不正使用が未然に防止されることになる。そのため健全な遊技産業の発展に一層寄与し得るものとなる。
また、挿入ピン部材の頭部に球体を添当し、該球体をケース体とカバー体のいずれか一方より他方に向けて打ち込むと、該挿入ピン部材の屈曲開閉部材が他方の係合凹部内に抜脱不能に開傘されるから、カバー体とケース体が確実に封止されることになる。
【図面の簡単な説明】
【図１】本発明の一実施の形態におけるパチンコ遊技機の正面図である。
【図２】その外観斜視図である。
【図３】図１に示したパチンコ遊技機の遊技盤面の拡大正面図である。
【図４】図１に示したパチンコ遊技機の裏面図である。
【図５】その外観斜視図である。
【図６】遊技盤の裏面に設けられる入賞球（セーフ球）の流出経路を説明する図である。
【図７】本発明の一実施の形態に係る制御基板収納ボックスの取付構造を示した図である。
【図８】本発明の一実施の形態に係る制御基板収納ボックスの分解斜視図である。
【図９】本発明の一実施の形態に係る制御基板収納ボックスのカバーの部分平面図である。
【図１０】本発明の一実施の形態に係る制御基板収納ボックスの挿入ピン固定台の平面図及び側面図である。
【図１１】本発明の一実施の形態に係る制御基板収納ボックスのピン差込部分の断面図である。
【図１２Ａ】本発明の一実施の形態に係る制御基板収納ボックスのピン差込み前の部分断面図である。
【図１２Ｂ】本発明の一実施の形態に係る制御基板収納ボックスのピン差込み後の部分断面図である。
【図１３Ａ】本発明の第二の実施の形態に係る制御基板収納ボックスに使用されるピンの外観斜視図である。
【図１３Ｂ】本発明の第二の実施の形態に係る制御基板収納ボックスの外観斜視図である。
【図１３Ｃ】本発明の第二の実施の形態に係る制御基板収納ボックスのピン差込み前の部分断面図である。
【図１３Ｄ】本発明の第二の実施の形態に係る制御基板収納ボックスのピン差込み後の部分断面図である。
【図１４Ａ】本発明の第三の実施の形態に係る制御基板収納ボックスに使用されるピン取付部分の分解斜視図である。
【図１４Ｂ】本発明の第三の実施の形態に係る制御基板収納ボックスのピン差込み前の部分断面図である。
【図１４Ｃ】本発明の第三の実施の形態に係る制御基板収納ボックスのピン差込み後の部分断面図である。
【図１５Ａ】本発明の第四の実施の形態に係る制御基板収納ボックスのピン差込み前の部分断面図である。
【図１５Ｂ】本発明の第四の実施の形態に係る制御基板収納ボックスのピン差込み後の部分断面図である。
【符号の説明】
２００  制御基板収納ボックス
２０２，２６６，３２４  カバー部材
２０４，２６８，３２６  ケース部材
２０６  挿入ピン固定台取付部
２０８ａ〜２０８ｄ，２７０，２９８，３１２  挿入ピン差込部
２１０，３０４  挿入ピン固定台
２２２ａ，２２２ｂ  ネジ
２２４ａ，２２４ｂ  ボス
２２６ａ，２２６ｂ  ネジ挿通孔
２２８ａ〜２２８ｄ，２９６，３１８  挿通嵌合孔
２３０  切込み
２３１  切込み片
２３４ａ，２３４ｂ  ネジカバー片
２３６，２５２，２８４，３０２  頭付挿入ピン
２３８，２６４，３０１，３０８  頭部
２４０  大径筒部
２４２，２５４，３１４  ピン本体部
２４４，３１０  小径筒部
２４６，３２０  スプリング
２４８，３００  Ｅ型止め輪
２５０，２９４，３１６  溝部
２５６  屈曲開閉片
２５８  屈曲開閉部材
２６０  谷型屈曲部
２６２  山型屈曲部
２７２，２８８，３２２  挿入ピン固定部
２７４  挿入ピン差込口
２７６  挿入ピン抜出口
２７８  ボール
２８０  挿入ピン固定口
２８２  挿入ピン受口
２８６  固定カップ
２９０  爪片
２９２  底板部
３０６  ローレット状リング
【図１】
0003940072.tif 000002
【図２】
0003940072.tif 000003
【図３】
0003940072.tif 000004
【図４】
0003940072.tif 000005
【図５】
0003940072.tif 000006
【図６】
0003940072.tif 000007
【図７】
0003940072.tif 000008
【図８】
0003940072.tif 000009
【図９】
0003940072.tif 000010
【図１０】
0003940072.tif 000011
【図１１】
0003940072.tif 000012
【図１２Ａ】
0003940072.tif 000013
【図１２Ｂ】
0003940072.tif 000014
【図１３Ａ】
0003940072.tif 000015
【図１３Ｂ】
0003940072.tif 000016
【図１３Ｃ】
0003940072.tif 000017
【図１３Ｄ】
0003940072.tif 000018
【図１４Ａ】
0003940072.tif 000019
【図１４Ｂ】
0003940072.tif 000020
【図１４Ｃ】
0003940072.tif 000021
【図１５Ａ】
0003940072.tif 000022
【図１５Ｂ】
0003940072.tif 000023